(57)【要約】  サムネイル画像のクリック操作を行うユーザに、楽しさ及び期待感を付与する。  サーバ装置が開設するウェブサイトの画面ページには選択可能なサムネイル画像が配置されており、端末装置においてユーザがサムネイル画像の選択操作を行った場合、選択信号がサーバ装置へ送信される。サーバ装置は選択信号の受信回数を積算し、積算した数値が基準値に一致したか否かを判断する。積算数値が基準値に一致した場合、サーバ装置は、選択されたサムネイル画像３０が回転して裏面３０ｄが見えると共に、その裏面３０ｄに当たり画像３０ｇを配置した内容のデータを端末装置へ送信して、ユーザに当たり画像３０ｇを見せる。ユーザはサムネイル画像の選択により、クジに当たるか否かと云うワクワク感（期待感）を楽しめる。
2007141861.tif 000002
【特許請求の範囲】
【請求項１】
サーバ装置から送信された選択可能な画像を含む画面ページを表示する端末装置は、画面ページ中の画像が選択された場合、選択信号を前記サーバ装置へ送信し、該サーバ装置は選択信号を受信した場合、選択された画像が動く動的データを前記端末装置へ送信する表示画面提供方法において、
前記サーバ装置は、
選択信号を受信した場合、抽選処理を行い、
抽選処理の結果が当たりの場合、前記動的データの画像の動きにより生じた箇所に配置される配置画像を前記端末装置へ送信することを特徴とする表示画面提供方法。
【請求項２】
前記サーバ装置は、
抽選処理の結果が外れの場合、前記動的データの画像の動きにより生じた箇所に配置される広告を前記端末装置へ送信する請求項１に記載の表示画面提供方法。
【請求項３】
前記サーバ装置は、
前記抽選処理として、受信した選択信号の受信回数の積算処理を行うと共に、積算処理ごとに積算数値が基準条件を満たすか否かを判断し、
積算数値が基準条件を満たすと判断した場合、抽選処理の結果を当たりにして、基準条件を満たした選択信号の送信元の端末装置へ前記配置画像を送信する請求項１に記載の表示画面提供方法。
【請求項４】
前記サーバ装置は、
積算数値が基準条件を満たさないと判断した場合、抽選処理の結果を外れにして、判断対象の積算数値に達した選択信号の送信元の端末装置へ、前記動的データの画像の動きにより生じた箇所に配置される広告を送信する請求項３に記載の表示画面提供方法。
【請求項５】
前記基準条件は、積算数値が基準値に一致したか否かにしてある請求項３又は請求項４に記載の表示画面提供方法。
【請求項６】
前記サーバ装置は、
選択可能な画像を複数含む画面ページを端末装置へ送信し、
画像ごとに選択信号の受信回数の積算処理を行う請求項３乃至請求項５のいずれか１つに記載の表示画面提供方法。
【請求項７】
前記配置画像は、特典に当たった旨を表す内容にしてある請求項１乃至請求項６のいずれか１つに記載の表示画面提供方法。
【請求項８】
前記サーバ装置は、
前記配置画像の送信に伴って、特典画面ページへのアクセスに関連付けてある選択可能なリンク部を配置した画面ページを前記端末装置へ送信する請求項１乃至請求項７のいずれか１つに記載の表示画面提供方法。
【請求項９】
前記サーバ装置は、
前記配置画像の送信に伴って、特典画面ページを前記端末装置へ送信する請求項１乃至請求項７のいずれか１つに記載の表示画面提供方法。
【請求項１０】
前記サーバ装置は、選択された画像が裏返って裏面が表示されるように回転する動的データを送信すると共に、前記裏面に配置される前記配置画像を送信する請求項１乃至請求項９のいずれか１つに記載の表示画面提供方法。
【請求項１１】
外部からのアクセスに応じて選択可能な画像を含む画面ページをアクセス元へ送信するサーバ装置が、アクセス元から送信される画像選択に応じた選択信号を受信した場合、選択された画像が動く動的データをアクセス元へ送信する表示画面提供方法において、
前記サーバ装置は、
選択信号を受信した場合、抽選処理を行い、
抽選処理の結果が当たりの場合、前記動的データの画像の動きにより生じた箇所に配置される配置画像をアクセス元へ送信することを特徴とする表示画面提供方法。
【請求項１２】
前記サーバ装置は、
前記抽選処理として、受信した選択信号の受信回数の積算処理を行うと共に、積算処理ごとに積算数値が基準条件を満たすか否かを判断し、
積算数値が基準条件を満たすと判断した場合、抽選処理の結果を当たりにして、基準条件を満たした選択信号を送信したアクセス元へ配置画像を送信する請求項１１に記載の表示画面提供方法。
【請求項１３】
ネットワークを介して通信を行うサーバ装置及び端末装置を備え、該サーバ装置から送信された選択可能な画像を含む画面ページを表示する端末装置は、画面ページ中の画像が選択された場合、選択信号を前記サーバ装置へ送信する手段を備え、該サーバ装置は選択信号を受信した場合、選択された画像が動く動的データを前記端末装置へ送信する手段を備える表示画面提供システムにおいて、
前記サーバ装置は、
選択信号を受信した場合、抽選処理を行う手段と、
抽選処理の結果が当たりの場合、前記動的データの画像の動きにより生じた箇所に配置される配置画像を前記端末装置へ送信する手段とを備えることを特徴とする表示画面提供システム。
【請求項１４】
前記サーバ装置は、
前記抽選処理として、受信した選択信号の受信回数の積算処理を行って、積算処理ごとに積算数値が基準条件を満たすか否かを判断する手段と、
積算数値が基準条件を満たすと判断した場合、抽選処理の結果を当たりにして、基準条件を満たした選択信号の送信元の端末装置へ前記配置画像を送信する手段とを備える請求項１３に記載の表示画面提供システム。
【請求項１５】
外部からのアクセスに応じて選択可能な画像を含む画面ページをアクセス元へ送信する手段と、アクセス元から送信される画像選択に応じた選択信号を受信した場合、選択された画像が動く動的データをアクセス元へ送信する手段とを備えるサーバ装置において、
選択信号を受信した場合、抽選処理を行う手段と、
抽選処理の結果が当たりの場合、前記動的データの画像の動きにより生じた箇所に配置される配置画像をアクセス元へ送信する手段とを備えることを特徴とするサーバ装置。
【請求項１６】
前記抽選処理として、受信した選択信号の受信回数の積算処理を行って、積算処理ごとに積算数値が基準条件を満たすか否かを判断する手段と、
積算数値が基準条件を満たすと判断した場合、抽選処理の結果を当たりにして、基準条件を満たした選択信号を送信したアクセス元へ前記配置画像を送信する手段とを備える請求項１５に記載のサーバ装置。
【請求項１７】
ネットワークを介して通信可能なコンピュータに、外部からのアクセスに応じて選択可能な画像を含む画面ページをアクセス元へ送信する処理と、アクセス元から送信される画像選択に応じた選択信号を受信した場合、選択された画像が動く動的データをアクセス元へ送信する処理とを行わせるためのコンピュータプログラムにおいて、
コンピュータを、
選択信号を受信した場合、抽選処理を行う手段と、
抽選処理の結果が当たりの場合、前記動的データの画像の動きにより生じた箇所に配置される配置画像をアクセス元へ送信する処理を行わせる手段として機能させることを特徴とするコンピュータプログラム。
【請求項１８】
コンピュータを、
前記抽選処理として、受信した選択信号の受信回数の積算処理を行って、積算処理ごとに積算数値が基準条件を満たすか否かを判断する手段と、
積算数値が基準条件を満たすと判断した場合、抽選処理の結果を当たりにして、基準条件を満たした選択信号を送信したアクセス元へ前記配置画像を送信する処理を行わせる手段として機能させる請求項１７に記載のコンピュータプログラム。
【発明の詳細な説明】
【技術分野】
【０００１】
本発明は、画像が選択（クリック）されると画像が動く表示を行うウェブサイトで、画像の選択に応じてクジ的な抽選処理を行い、当たった場合には画像の動きに伴って生じた箇所に当たりの旨などを表した特別な画像を表示することで、画像のクリック操作に対する楽しさをユーザに付与できるようにした表示画面提供方法、表示画面提供システム、サーバ装置、及びコンピュータプログラムに関する。
【背景技術】
【０００２】
従来、ウェブサイトの画面ページ中に複数のサムネイル画像を選択可能に並べると共に、選択（クリック）されたサムネイル画像をクルリと裏返して反転させた状態を表示してから、選択された画像の拡大画像を含む画面ページへ表示を切り替えるウェブページが存在する（非特許文献１参照）。このようなウェブページでは、サムネイル画像がクリックされると、単に拡大画像への表示切替を行う場合に比べて、表示を切り替える間にサムネイル画像が回転する状態をユーザが見ることになり、ユーザは自身が画像を選択することで、まるで実際の写真をめくったようなイメージを擬似的に楽しむことができる。なお、選択された画像の動き方は、裏返るような反転以外にも、シフトするように移動する動き方、時計方向又は反時計方向に回転する動き方などもある。【０００３】
一方、選択されたサムネイル画像が動く表示とは別に、ウェブサイトの画面ページ中にクリック対象箇所（例えば、バナー広告）を設けると共に、そのクリック対象箇所に対して各種サービスに利用可能なポイントを予め設定し、クリックに応じてユーザにポイントを付与することで、クリック操作回数の向上を狙ったサービス内容が開示されている（特許文献１及び特許文献２参照）。
【特許文献１】特開平１０−２５４９６８号公報
【特許文献２】特開２００２−４９８５５号公報
【非特許文献１】“ＡＦＰ  ＢＢ  Ｎｅｗｓ−ＢＥＴＡ−”、[online]、[平成１８年４月５日検索]、インターネット＜ＵＲＬ：http://www.afpbb.com/index.php?module=NewsFeed&action=index＞
【発明の開示】
【発明が解決しようとする課題】
【０００４】
特許文献１及び特許文献２で開示されているサービス内容は、単にポイント獲得に関連するものであるため、画像をクリックする操作に対してユーザを視覚的に楽しませることできないと共に、例えば、「あれっ、何だろう？」と云うように、クリック操作に対して興味を持たせることもできない。さらに、特許文献１及び特許文献２のサービス内容は、クリック操作の回数に応じてポイントが付与されるので、ユーザにとっては獲得できるポイント数も自身が行うクリック操作に基づき、ある程度予測できるため、クリック操作に対するユーザの期待感（ワクワク感）も高められない。【０００５】
一方、非特許文献１に係るサービスでは、クリックされた画像について視覚的な工夫を凝らしているものの、クリック操作を行う意欲及び興味等を更に高めると共に、クリック操作に対してワクワク感を具備すれば、更にユーザへ楽しさを付与できることが想像できる。【０００６】
本発明は、斯かる事情に鑑みてなされたものであり、画像が選択される毎にクジ的な当たり判断を行うと共に、当たった場合、選択に伴って画像が動くことにより生じたスペースに特別な画像を載せることで、ユーザの画像選択の操作に対する意欲及び興味等を高めると共に、ワクワク感を付与できるようにした表示画面提供方法、表示画面提供システム、サーバ装置、及びコンピュータプログラムを提供することを目的とする。
また、特別な画像をユーザに見せた場合は、特典画面ページをユーザに表示して、ユーザが得られる楽しさを更に増長できるようにした表示画面提供方法、及びサーバ装置を提供することを目的とする。
【課題を解決するための手段】
【０００７】
上記課題を解決するために本発明に係る表示画面提供方法は、サーバ装置から送信された選択可能な画像を含む画面ページを表示する端末装置は、画面ページ中の画像が選択された場合、選択信号を前記サーバ装置へ送信し、該サーバ装置は選択信号を受信した場合、選択された画像が動く動的データを前記端末装置へ送信する表示画面提供方法において、前記サーバ装置は、選択信号を受信した場合、抽選処理を行い、抽選処理の結果が当たりの場合、前記動的データの画像の動きにより生じた箇所に配置される配置画像を前記端末装置へ送信することを特徴とする。
また、本発明に係る表示画面提供方法は、前記サーバ装置が、抽選処理の結果が外れの場合、前記動的データの画像の動きにより生じた箇所に配置される広告を前記端末装置へ送信することを特徴とする。【０００８】
さらに本発明に係る表示画面提供方法は、前記サーバ装置が、前記抽選処理として、受信した選択信号の受信回数の積算処理を行うと共に、積算処理ごとに積算数値が基準条件を満たすか否かを判断し、積算数値が基準条件を満たすと判断した場合、抽選処理の結果を当たりにして、基準条件を満たした選択信号の送信元の端末装置へ前記配置画像を送信することを特徴とする。
さらにまた、本発明に係る表示画面提供方法は、前記サーバ装置が、積算数値が基準条件を満たさないと判断した場合、抽選処理の結果を外れにして、判断対象の積算数値に達した選択信号の送信元の端末装置へ、前記動的データの画像の動きにより生じた箇所に配置される広告を送信することを特徴とする。【０００９】
本発明に係る表示画面提供方法は、前記基準条件が、積算数値が基準値に一致したか否かにしてあることを特徴とする。
また、本発明に係る表示画面提供方法は、前記サーバ装置が、選択可能な画像を複数含む画面ページを端末装置へ送信し、画像ごとに選択信号の受信回数の積算処理を行うことを特徴とする。
さらに、本発明に係る表示画面提供方法は、前記配置画像が、特典に当たった旨を表す内容にしてあることを特徴とする。【００１０】
また、本発明に係る表示画面提供方法は、前記サーバ装置が、前記配置画像の送信に伴って、特典画面ページへのアクセスに関連付けてある選択可能なリンク部を配置した画面ページを前記端末装置へ送信することを特徴とする。
さらに、本発明に係る表示画面提供方法は、前記サーバ装置が、前記配置画像の送信に伴って、特典画面ページを前記端末装置へ送信することを特徴とする。【００１１】
さらにまた、本発明に係る表示画面提供方法は、前記サーバ装置は、選択された画像が裏返って裏面が表示されるように回転する動的データを送信すると共に、前記裏面に配置される前記配置画像を送信することを特徴とする。【００１２】
本発明に係る表示画面提供方法は、外部からのアクセスに応じて選択可能な画像を含む画面ページをアクセス元へ送信するサーバ装置が、アクセス元から送信される画像選択に応じた選択信号を受信した場合、選択された画像が動く動的データをアクセス元へ送信する表示画面提供方法において、前記サーバ装置は、選択信号を受信した場合、抽選処理を行い、抽選処理の結果が当たりの場合、前記動的データの画像の動きにより生じた箇所に配置される配置画像をアクセス元へ送信することを特徴とする。
また、本発明に係る表示画面提供方法は、前記サーバ装置が、前記抽選処理として、受信した選択信号の受信回数の積算処理を行うと共に、積算処理ごとに積算数値が基準条件を満たすか否かを判断し、積算数値が基準条件を満たすと判断した場合、抽選処理の結果を当たりにして、基準条件を満たした選択信号を送信したアクセス元へ配置画像を送信することを特徴とする。【００１３】
本発明に係る表示画面提供システムは、ネットワークを介して通信を行うサーバ装置及び端末装置を備え、該サーバ装置から送信された選択可能な画像を含む画面ページを表示する端末装置は、画面ページ中の画像が選択された場合、選択信号を前記サーバ装置へ送信する手段を備え、該サーバ装置は選択信号を受信した場合、選択された画像が動く動的データを前記端末装置へ送信する手段を備える表示画面提供システムにおいて、前記サーバ装置は、選択信号を受信した場合、抽選処理を行う手段と、抽選処理の結果が当たりの場合、前記動的データの画像の動きにより生じた箇所に配置される配置画像を前記端末装置へ送信する手段とを備えることを特徴とする。
また、本発明に係る表示画面提供システムは、前記サーバ装置が、前記抽選処理として、受信した選択信号の受信回数の積算処理を行って、積算処理ごとに積算数値が基準条件を満たすか否かを判断する手段と、積算数値が基準条件を満たすと判断した場合、抽選処理の結果を当たりにして、基準条件を満たした選択信号の送信元の端末装置へ前記配置画像を送信する手段とを備えることを特徴とする。【００１４】
本発明に係るサーバ装置は、外部からのアクセスに応じて選択可能な画像を含む画面ページをアクセス元へ送信する手段と、アクセス元から送信される画像選択に応じた選択信号を受信した場合、選択された画像が動く動的データをアクセス元へ送信する手段とを備えるサーバ装置において、選択信号を受信した場合、抽選処理を行う手段と、抽選処理の結果が当たりの場合、前記動的データの画像の動きにより生じた箇所に配置される配置画像をアクセス元へ送信する手段とを備えることを特徴とする。
また、本発明に係るサーバ装置は、前記抽選処理として、受信した選択信号の受信回数の積算処理を行って、積算処理ごとに積算数値が基準条件を満たすか否かを判断する手段と、積算数値が基準条件を満たすと判断した場合、抽選処理の結果を当たりにして、基準条件を満たした選択信号を送信したアクセス元へ前記配置画像を送信する手段とを備えることを特徴とする。【００１５】
本発明に係るコンピュータプログラムは、ネットワークを介して通信可能なコンピュータに、外部からのアクセスに応じて選択可能な画像を含む画面ページをアクセス元へ送信する処理と、アクセス元から送信される画像選択に応じた選択信号を受信した場合、選択された画像が動く動的データをアクセス元へ送信する処理とを行わせるためのコンピュータプログラムにおいて、コンピュータを、選択信号を受信した場合、抽選処理を行う手段と、抽選処理の結果が当たりの場合、前記動的データの画像の動きにより生じた箇所に配置される配置画像をアクセス元へ送信する処理を行わせる手段として機能させることを特徴とする。
また、本発明に係るコンピュータプログラムは、コンピュータを、前記抽選処理として、受信した選択信号の受信回数の積算処理を行って、積算処理ごとに積算数値が基準条件を満たすか否かを判断する手段と、積算数値が基準条件を満たすと判断した場合、抽選処理の結果を当たりにして、基準条件を満たした選択信号を送信したアクセス元へ前記配置画像を送信する処理を行わせる手段として機能させることを特徴とする。【００１６】
本発明にあっては、外部のアクセス元である端末装置から送られた選択信号の受信に従って抽選処理を行い、抽選処理の結果が当たりの場合、選択信号を送信した端末装置へ、選択に伴う画像の動きにより生じた箇所に配置される配置画像をサーバ装置が送信するので、ユーザ側では画像の選択操作（クリック操作）を行うと、抽選が開始され、抽選に当たったときは、画像の動きにより新たに生まれたスペースに配置された特別な画像を見ることになる。そのため、ユーザが行う選択操作に対して、抽選処理及び特別な画像を見ることができると云う今までにない付加価値（興味及び楽しさ等）を与えることができ、抽選で当たりが出て特別な画像を見るために、選択操作を多数回行わせると云う意欲をユーザに起こさせることができる。【００１７】
なお、選択対象となる画像は、サムネイル画像に限られるものではなく、画面ページ中に配置することができる画像であれば、サイズは限定されない。また、配置画像の中身としては、文字、記号、数字、模様、あらゆる種類の画像（静止画、動画の両方含む）、及びそれらを組み合わせたものなどが該当する。さらに、選択対象となる画像は、撮影画像のように矩形状の輪郭を有するものの方が、選択に従って画像を動かす処理をスムーズに行う上で好ましい。また、選択に伴う画像の動き方は、シフト的に位置が移動する動き方、ある点を中心に回転する動き方、裏返るように反転する動き方など、動きにより新たなスペースが生じる動き方のあらゆる形態を含む。【００１８】
さらに、抽選処理としては、所定の確率で当たりが発生するあらゆる抽選の仕方、及び選択信号の受信回数に伴って当たりが発生する抽選の仕方などを適用できる。例えば、所定の確率で当たりが発生する抽選の仕方としては、ルーレットのように当たりを発生するもの、予め当たりの数字を設定しておくと共に、乱数発生処理による演算結果の数字が設定した数字に一致したときを当たりとするもの等が適用可能である。【００１９】
また、本発明にあっては、抽選処理の結果が外れた場合、選択に伴う画像の動きにより生じた箇所に配置される広告をサーバ装置が送信するので、画像が動いてユーザの視線を惹き付けた箇所に広告が表れることになり、ユーザが広告を見る機会を確保でき、クリックにより新たに生じた箇所を広告スペースとして有効活用できる。【００２０】
本発明にあっては、外部のアクセス元である端末装置から送られた選択信号の積算数値が基準条件を満たす場合、その積算数値に達した選択信号を送信した端末装置へ、画像の動きにより生じた箇所に配置される配置画像をサーバ装置が送信するので、ユーザ側では画像の選択操作を行うと、まるでクジに当たったかのように、配置された特別な画像を見ることになる。そのため、ユーザが行う選択操作（クリック操作）に対して、特別な画像を見ることができると云う今までにない付加価値（興味及び楽しさ等）を与えることができ、特別な画像を見るために選択操作を行おうと云うユーザの意欲を高められる。【００２１】
本発明にあっては、積算数値が基準条件を満たさないときは、クリックされた画像の動きにより生じた箇所に配置される広告をサーバ装置が送信するので、ユーザが広告を見る機会を確保できる。即ち、本発明では、基準条件を満たす場合、画像の動きにより生じ箇所に特別な画像（配置画像）が表れるため、ユーザはクリック操作を行う際、通常以上に画像の表示箇所を注目する。そのため、新たに生じた箇所に特別な画像を配置しないとき（積算数値が基準条件を満たさないとき）は、広告を配置することで、ユーザの注目している箇所に広告が表れるようになり、自然とユーザの目に止まる広告表示を行える。【００２２】
本発明にあっては、基準条件を、積算数値が基準値に達して一致したか否かにするので、サーバ装置での判断処理を簡潔明快にでき、スムーズな判断処理を実現できる。なお、基準値は、時間帯（例えば、朝の時間帯、夜の時間帯など）、曜日、日、季節、特別な時期（例えば、盆、正月、学生の夏休み期間など）に応じて適宜変更してもよい。また、積算数値が一旦基準時に達すると、サーバ装置が積算数値をリセットしてから、選択信号の受信回数の積算処理を再開することで、一旦、基準条件を満たした後もスムーズに判断処理を継続できる。【００２３】
本発明にあっては、画面ページが複数の選択可能な画像を含む場合、画像ごとに受信回数の積算処理を行うので、他の画像の選択操作の影響（選択回数）を受けることなく、画像ごとに個別に基準条件に基づく判断が可能になる。そのため、ウェブサイトの運営形態によっては画面ページ全体で各画像の選択回数をカウントするのではなく、画像ごとにカウントしたい場合もあるため、ウェブサイトの運営形態に応じた処理を提供できる。【００２４】
本発明にあっては、配置画像が、抽選により特典に当たった旨を表す内容になっているので、選択操作を行ったユーザの視覚へダイレクトに伝わる表示形態となり、選択操作に対する楽しさを付与できると共に、選択操作時に特典に当たるかもしれないと云う期待感をユーザに提供できる。また、一度、特典に当たって楽しさを経験したユーザは再度、その楽しさを得るためにクリック操作を繰り返すことが予想でき、このように特典に当たった旨を配置することで、ウェブサイトにおけるクリック操作回数の増加も期待できる。【００２５】
本発明にあっては、配置画像の送信に伴い、特典画面ページへのアクセスが可能なリンク部を配置した画面ページをサーバ装置が送信するので、配置画像を確認したユーザは、特典画面ページへアクセスできるようになる。そのため、画像のクリックにより配置画像が表れれば、特典画面ページへとアクセスできると云う流れを形成でき、画像のクリック操作に対する付加価値を更に増すことができる。なお、特典画面ページへのアクセスに関連付けてある選択可能なリンク部を配置する画面ページは、リンク部以外は、クリックに伴い切り替わって表示される画面内容と共通にしておけば、クリック操作に応じた通常の画面内容もユーザは確認できるので好適となる。また、特典画面ページの価値を高めるため、特典画面ページには通常アクセスできないようにしておくことが好ましい。特典画面ページの中身としては、ユーザにプレゼントを贈るための入力を受け付ける画面、ネットワーク上で使用できるポイントをユーザに付与する画面、特別な映像を閲覧できる画面などが考えられる（以下、同様）。【００２６】
本発明にあっては、配置画像の送信に伴い、サーバ装置は特典画面ページを送信するので、配置画像に続いて特典画面ページが表示されるようになる。そのため、画像をクリックして配置画像が表れれば、次にユーザは特典画面ページをダイレクトに見ることができ、特典に対するユーザへのインパクトを高めることができると共に、特典画面ページへの誘導もスムーズに行える。【００２７】
また、本発明にあっては、動的データは、選択された画像が裏返って裏面が表示されるように回転する中身になっているので、画像がまるで一枚のカードのようにクルリと反転する大きな動きにより、ユーザの視線を自然と惹き付けることが可能になる。さらに、反転により生じた裏面に送信された画像が配置されるので、画像の裏面を画像の配置スペースとして活用でき、特に広告を配置するときは、画像の裏面を新たな広告スペースとして利用可能となる。
【発明の効果】
【００２８】
本発明にあっては、ユーザによる画像の選択操作に伴って抽選処理を開始できると共に、抽選が当たったときは、画像の動きにより新たに生まれたスペースに配置される特別な画像を表示できるので、画像の選択操作に対する楽しさ、期待感をユーザに提供できる。
また、本発明にあっては、抽選処理の結果が外れた場合、選択に伴う画像の動きにより生じた箇所に広告が表れるので、ユーザの目に止まる機会の高い広告表示を行える。【００２９】
本発明にあっては、選択信号の積算数値が基準条件を満たすと、新たに生じた箇所に配置される配置画像が端末装置へ送信されるので、クリック操作を行ったユーザへ通常表示されない画像（配置画像）を見せることができ、クリック操作に伴ってユーザの視覚を直接的に楽しませた上で、クリック操作に対するワクワク感も付与できる。
また、本発明にあっては、基準条件を満たさないときは、広告を配置するので、ユーザが注目している箇所に広告を表示でき、広告を確実にユーザへ提示できる。【００３０】
さらに、本発明にあっては、基準条件を、積算数値が基準値に一致したか否かにしてあるので、サーバ装置における判断処理を簡潔明快にでき、判断処理に伴うサーバ装置の処理負担を低減できる。
さらにまた、本発明にあっては、画面ページが複数の選択可能な画像を含む場合、画像ごとに受信回数の積算処理を行うので、ウェブサイトの様々な運営形態に対応して画像のクリック操作に係る判断処理を行える。【００３１】
また、本発明にあっては、裏面に配置される内容が特典に当たった旨を表すので、クリック操作を行うことにより特典に当たったと云う流れを実現でき、よりユーザに分かりやすい形で楽しさを付与できる。
さらに、本発明にあっては、配置画像の送信に伴って特典画面ページへのアクセスが可能なリンク部を含む画面ページをサーバ装置が送信するので、通常アクセスできない特典画面ページへアクセスできることを、配置画像によりユーザへ先に知らせることができ、配置画像の価値を高めて、クリック操作をユーザが楽しんで行える状況を提供できる。
さらにまた、本発明にあっては、配置画像の送信に伴って、特典画面ページを表示するようにサーバ装置は処理を行うので、通常アクセスできない特典画面ページまでの誘導をスムーズに行える。【００３２】
また、本発明にあっては、動的データは、選択された画像が裏返って裏面が表示されるように回転する中身になっているので、画像がまるで一枚のカードのようにクルリと反転する大きな動きにより、ユーザの視線を自然と惹き付けられると共に、反転により生じた裏面を特別な画像の配置スペース、又は新たな広告スペースとして活用できる。
【図面の簡単な説明】
【００３３】
【図１】本発明の実施形態に係る表示画面提供システムの全体的な構成を示す概略図である。
【図２】端末装置の内部構成を示すブロック図である。
【図３】サーバ装置の内部構成を示すブロック図である。
【図４】端末装置で表示される複数のサムネイル画像を配置したウェブサイトのトップ画面ページ示す概略図である。
【図５】（ａ）はサムネイル画像の選択状態の概略図、（ｂ）は回転を開始した状態の概略図、（ｃ）はさらに回転が進行した状態の概略図である。
【図６】（ａ）は回転により裏面が見え始めた状態の概略図、（ｂ）はさらに裏面の見える範囲が大きくなった状態の概略図、（ｃ）は１８０度回転した状態の裏面に当たり画像が配置された状態の概略図である。
【図７】選択されたサムネイル画像が裏返って当たり画像を表示した状態のトップ画面ページを示す概略図である。
【図８】（ａ）は当たった場合の詳細画面ページの概略図、（ｂ）は特典画面ページの概略図である。
【図９】（ａ）は回転により裏面が見え始めた状態の概略図、（ｂ）はさらに裏面の見える範囲が大きくなった状態の概略図、（ｃ）は１８０度回転した状態の裏面に広告画像が配置された状態の概略図である。
【図１０】（ａ）は広告画像を表示した状態のトップ画面ページを示す概略図、（ｂ）は当たらなかった場合の詳細画面ページの概略図である。
【図１１】表示画面提供方法に係る処理手順を示す第１フローチャートである。
【図１２】判断処理の処理手順を示す第２フローチャートである。
【図１３】変形例のサムネイル画像の動き方を示し、（ａ）はサムネイル画像が動く前の状態を示す概略図、（ｂ）はサムネイル画像が反時計方向に回転した状態を示す概略図、（ｃ）は当たり画像が配置された状態を示す概略図である。
【図１４】別の変形例のサムネイル画像の動き方を示し、（ａ）はサムネイル画像が動く前の状態を示す概略図、（ｂ）はサムネイル画像が左方にシフトした状態を示す概略図、（ｃ）は当たり画像が配置された状態を示す概略図である。
【図１５】（ａ）は積算数値をサムネイル画像ごとに格納したテーブルを示す図表、（ｂ）は積算数値及び基準値をサムネイル画像ごとに格納したテーブルを示す図表である。
【符号の説明】
【００３４】
１  ネットワークシステム
２  端末装置
１０  サーバ装置
１１  ＣＰＵ
１５  ハードディスク装置
１７  表示処理プログラム
１８  画面ページデータ
１９  サムネイル画像データ
２０  動的データ
２１  当たり画像データ
２２  広告データ
２３  拡大画像データ
２４  特典ボタンデータ
２５  トップ画面ページ
２７  詳細画面ページ
２７ｄ  特典ボタン
３０〜４１  サムネイル画像
３０ｆ  当たり画像
３０ｇ  広告画像
５０  特典画面ページ
ＮＷ  ネットワーク
【発明を実施するための最良の形態】
【００３５】
図１は、本発明の実施形態に係る表示画面提供システム１の全体的な構成を示している。本実施形態の表示画面提供システム１は、サーバ装置１０が、インターネットのようなネットワークＮＷ上で複数のサムネイル画像を選択可能に配置したウェブサイト（図４等参照）を開設し、そのウェブサイトにアクセスした端末装置２でウェブサイトの画面ページを表示させるものである。【００３６】
また、表示画面提供システム１は、端末装置２で表示する画面ページ中のサムネイル画像のいずれかがユーザによりクリック（選択）されると、そのサムネイル画像が裏返って回転する状態を表示してから画面ページを切り替える処理を行う。その際、ウェブサイトにおける今までの選択回数の積算値が所定の基準条件を満たすと、サーバ装置１０が、特典に当たった旨をサムネイル画像の回転した裏面に表示する処理を行うことを特徴にしている。なお、本実施形態では端末装置２には汎用のコンピュータを用いており、端末本体３（コンピュータ本体）にモニタ４、キーボード５及びマウス６を接続している。以下、表示画面提供システム１を構成する端末装置２及びサーバ装置１０について説明する。【００３７】
図２は、端末装置２に係る端末本体３の主要な内部構成を示している。端末本体３は、各種制御処理を行うＭＰＵ３ａに、通信インタフェース３ｂ、ＲＡＭ３ｃ、ＲＯＭ３ｄ、モニタ用インタフェース３ｆ、操作接続部３ｇ、及びハードディスク装置３ｈを内部バス３ｊで接続している。【００３８】
通信インタフェース３ｂは、ネットワークＮＷと接続されて所定の通信先とデータの送受を行う。ＲＡＭ３ｃはＭＰＵ３ａの処理に従うデータ及びフォルダ等を一時的に記憶し、ＲＯＭ３ｄはＭＰＵ３ａが行う基本的な処理内容を規定したプログラム等を予め記憶する。モニタ用インタフェース３ｆはモニタ４と接続されて、モニタ４の画面４ａに表示すべきデータを送る処理を行って画面ページ等をモニタ４に表示させる。操作接続部３ｇはユーザからの操作指示を受け付けるキーボード５及びマウス６と接続されて、キーボード５及びマウス６が受け付けた操作指示を内部バス３ｊを通じてＭＰＵ３ａへ伝える。【００３９】
ハードディスク装置３ｈは、各種プログラムを作動させる上でのベースになるＯＳプログラム８ａ、閲覧プログラム８ｂ、及び表示再生プログラム８ｃ等を記憶する。閲覧プログラム８ｂは、ウェブサイト（ウェブサイトの画面ページ）を閲覧できるよう通信インタフェース３ｂで受信する内容をモニタ４で表示させるための処理を行うものである。また、表示再生プログラム８ｃは、閲覧プログラム８ｂの表示処理と連係して動的データを再生表示する処理を規定したものである。【００４０】
なお、動的データは、端末装置２で表示可能な動画的な内容のデータであり、本実施形態では、クリックされたサムネイル画像が回転する状態を示す内容になっている。このような動的データは、端末装置２で表示中のウェブサイトの画面ページに関連してネットワーク経由で受信可能となっており、動的データの再生を行う表示再生プログラム８ｃとしては「Ｊａｖａ（登録商標）  Ｓｃｒｉｐｔ」のようなスクリプト言語の処理に応じたソフトウェア、マクロメディア社の「Ｆｌａｓｈ（登録商標）  Ｐｌａｙｅｒ」のようなソフトウェア等が用いることが可能である。【００４１】
なお、上述した構成の端末装置２では、サーバ装置１０にアクセスすると、モニタ４の表示画面４ａにウェブサイトの画面ページ（複数のサムネイル画像が選択可能に配置された内容）が表示される。また、この状態でキーボード５又はマウス６の操作により、いずれかのサムネイル画像のクリック操作（選択操作）が行われると、端末装置２は、閲覧プログラム８ｂが規定する内容と連動して、特定のサムネイル画像が選択された旨を通知する選択信号を通信インタフェース３ｂからサーバ装置１０へ送信する処理を行う。【００４２】
一方、図３は、本発明の中心的な処理を担うサーバ装置１０の主要な内部構成を示している。サーバ装置１０にはサーバコンピュータを用いており、内部バス１０ａを介してＣＰＵ１１、通信インタフェース１２、ＲＡＭ１３、ＲＯＭ１４、及びハードディスク装置１５を接続し、ネットワークＮＷ上にウェブサイトを開設して、そのウェブサイトに係るＵＲＬ宛にアクセスしてきた外部端末にウェブサイトの画面ページを表示させる処理を行うものである。【００４３】
本実施形態のサーバ装置１０は、ニュース配信を行うウェブサイトを開設しており、ニュース内容に関連する写真のサムネイル画像を選択可能に配置したトップ画面ページ２５をアクセス元の端末で表示する処理を行う（図４参照）。また、トップ画面ページ２５において、いずれかのサムネイル画像３０〜４１が選択されると、サーバ装置１０は図５、６等に示すようにサムネイル画像が裏返って裏面を見せるような回転表示を行い、図７又は図１０（ａ）の状態から、図８（ａ）又は図１０（ｂ）に示すような拡大画像２７ｃ及びニュース文章２７ｂ等を含む詳細画面ページ２７に表示を切り替える処理を行う。以下、サーバ装置１０について詳説する。【００４４】
通信インタフェース１２は、ネットワークＮＷを経由して外部端末（例えば、端末装置２が相当）と接続する手段に相当し、外部端末からのアクセス及び外部端末で表示されたサムネイル画像の選択信号などを受信すると共に、ＣＰＵ１１の制御に従ってアクセス元の外部端末へ表示用の画面ページ等を送信する処理を行う。また、ＲＡＭ１３は、ＣＰＵ１１が行う処理により生じるデータ及びフォルダ等を一時的に記憶し、ＲＯＭ１４は、ＣＰＵ１１が行う基本的な処理内容を規定したプログラムを予め記憶している。【００４５】
ハードディスク装置１５は、サーバ装置１０を作動させる上で基本となる処理内容を規定したシステムプログラム１６、サムネイル画像が選択された回数を基準条件と比較する当たり判断に係る処理等を規定した表示処理プログラム１７、ウェブサイトで表示する内容に応じた多数の各種データ１８〜２４、並びに、基準条件との比較判断に用いる基準値Ｋ及び積算数値Ｃなどを記憶する。【００４６】
ハードディスク装置１５に記憶される具体的なデータとしては、画面ページデータ１８、サムネイル画像データ１９、動的データ２０、当たり画像データ２１、広告データ２２、及び拡大画像データ２３、特典ボタンデータ２４等がある。【００４７】
画面ページデータ１８は図４、７、１０（ａ）に示すトップ画面ページ２５、図８（ａ）、１０（ｂ）に示す詳細画面ページ２７、及び図８（ｂ）に示す特典画面ページ５０等の各種画面ページの表すためのデータであり、サーバ装置１０が開設するウェブサイトに含まれるページ数に応じた分のデータが存在する。特に、詳細画面ページ２７に応じた画面ページデータ１８は、図４のトップ画面ページ２５中のサムネイル画像３０〜４１ごとに応じた内容のデータを含んでおり、これらの画面ページのデータは、対応する各サムネイル画像３０〜４１との関連付け（リンク付け）が行われた状態でハードディスク装置１５に記憶されている。【００４８】
サムネイル画像データ１９は、サムネイル画像の内容を表示するためのニュース写真のデータであり、図４に示すサムネイル画像３０〜４１等のそれぞれに応じた分の複数データが存在する。なお、サムネイル画像３０〜４１は、トップ画面ページ２５の表面２５ａに直接配置されるのではなく、回転可能な一枚の板体をイメージしたベース画像３０ａを介して配置される。また、サムネイル画像データ１９は、各サムネイル画像３０〜４１を識別するための識別符号がデータ中に付されている。【００４９】
動的データ２０は、図５、６に示すように、選択（クリック）されたサムネイル画像が裏返って裏面が表示されるようにサムネイル画像の回転を表したデータである。動的データ２０の具体的な中身は、例えば、図４中の上段の左端のサムネイル画像３０がユーザによりクリックされると、図５（ａ）に示す状態から縦方向の中心軸３０ｂを中心にサムネイル画像３０のベース画像３０ａが丁度一枚の板のように図中の矢印方向に回転を開始し、図５（ｂ）（ｃ）に示すようにサムネイル画像３０が外れて、ベース画像３０ａの回転が進行する。ベース画像３０ａの回転範囲が図５（ａ）の状態から９０度を超えると、表面３０ｃが見えなくなり、図６（ａ）及び図９（ａ）に示すように裏面３０ｄが見えるようになる。それから、図６（ｂ）及び図９（ｂ）に示すように回転が進行し、図６（ｃ）及び図９（ｃ）の状態では図５（ａ）の状態から完全に裏がった状態（１８０度回転した状態）になる。なお、図６（ａ）〜（ｃ）は、サーバ装置１０での当たり判断処理で当たりが出た場合の裏面３０ｄの表示状態を示し、図９（ａ）〜（ｄ）は、サーバ装置１０での当たり判断処理で外れた場合の裏面３０ｄの表示状態を示している。【００５０】
また、当たり画像データ２１は、当たりが出た場合に、図６（ｃ）、図７に示すようにベース画像３０ａの裏面３０ｄに配置される当たり画像３０ｆに該当するものである。さらに、広告データ２２は、外れた場合に、図９（ｃ）、図１０（ａ）に示すようにベース画像３０ａの裏面３０ｄに配置される広告画像３０ｇに該当するものである。なお、広告データ２２は、複数種類の広告内容を含んでおり、配置対象の広告画像を適宜設定できる。【００５１】
さらに、ハードディスク装置１５に記憶される拡大画像データ２３は、サムネイル画像データ１９と同じ写真の画像サイズ（解像度）を大きくしたものであり、サムネイル画像分のデータが存在する。これら拡大画像データ２３に応じた拡大画像２７ｃは、図８（ａ）及び図１０（ｂ）に示すように、詳細画面ページ２７の表面２７ａに載置されてウェブサイトの表示画面が形成される。さらにまた、特典ボタンデータ２４は、当たりが出た場合に、図８（ａ）の詳細画面ページ２７の表面２７ａに載置される特典ボタン２７ｄに対応する画像データであり、この特典ボタン２７ｄ（リンク部に相当）の選択操作が行われると、リンクされた図８（ｂ）の特典画面ページ５０のＵＲＬへのアクセス要求が、選択操作が行われた端末からサーバ装置１０へ送信されるようになっている。【００５２】
一方、図３のハードディスク装置１５に記憶される表示処理プログラム１７は、アクセスしてきた外部端末でウェブサイトのサイトページ（画面ページ）を適宜表示させるためにＣＰＵ１１が行う処理内容を規定したものであり、以下、その処理内容を説明する。【００５３】
表示処理プログラム１７は、通信インタフェース１２で外部からアクセスを受けると、図４に示すように複数のサムネイル画像３０〜４１を配置したトップ画面ページ２５をアクセス元の外部端末で選択可能に表示させるため、トップ画面ページ２５に応じた画面ページデータ１８及び配置するサムネイル画像に応じたサムネイル画像データ１９をハードディスク装置１５から読み出して通信インタフェース１２よりアクセス元へ送信する処理を規定している。なお、サムネイル画像３０〜４１は外部端末で表示されると選択可能になると共に、外部端末で選択されると、選択されたサムネイル画像３０〜４１を表す識別符号を含む選択信号が返信されるようになっている。【００５４】
また、表示処理プログラム１７は、外部から選択信号を受信すると抽選処理を行い、具体的には、選択信号の受信回数を積算すると共に、今までに積算した数値が当たり判断に係る基準条件を満たすか否かを積算処理ごとに比較判断する処理を規定している。本実施形態の基準条件は、ハードディスク装置１５に予め記憶した基準値Ｋの数値に積算数値が一致するか否かを条件にしている。この基準条件を満たさない場合（抽選処理の結果が外れの場合）、表示処理プログラム１７は、積算した数値（積算数値Ｃ）をハードディスク装置１５へ記憶する処理と、動的データ２０及び広告データ２２を送信して、外部端末で図５（ａ）〜（ｃ）及び図９（ａ）〜（ｃ）に示すように、クリックされたサムネイル画像が裏返り、反転した裏面３０ｄに配置された広告３０ｇを表示させることを規定している。さらに、表示処理プログラム１７は、受信した選択信号に含まれる識別符号に応じた詳細画面ページ２７の画面ページデータ１８及び拡大画像データ２３等を送信して、外部端末に図１０（ｂ）に示すようなウェブページ（拡大画像２７ｃ等を配置した詳細画面ページ２７）を表示させることを規定している。【００５５】
一方、上述した基準条件を満たす場合（抽選処理の結果が当たりの場合）、表示処理プログラム１７は、動的データ２０、及び当たり画像３０ｆ（配置画像）に対応した当たり画像データ２１を送信し、外部端末で図５（ａ）〜（ｃ）及び図６（ａ）〜（ｃ）に示すように、クリックされたサムネイル画像が裏返り、反転した裏面３０ｄに配置された当たり画像３０ｆ（特典に当たった旨を表す内容）を表示させることを規定している。さらに、表示処理プログラム１７は、動的データ２０及び当たり画像データ２１の送信に伴って、選択信号に含まれる識別符号に応じた詳細画面ページ２７の画面ページデータ１８、拡大画像データ２３、及び特典ボタンデータ２４等を送信して、外部端末に図８（ａ）に示すようなウェブページ（拡大画像２７ｃ及び特典ボタン２７ｄ等を配置した詳細画面ページ２７）を表示させることを規定している。なお、表示処理プログラム１７は、積算数値Ｃが基準条件を満たすようになった場合（当たった場合）、次回からの判断処理に備えて、ハードディスク装置１５に記憶されている積算数値Ｃの値をリセットすることも規定している。【００５６】
また、図８（ａ）の詳細画面ページ２７については、特典ボタン２７ｄが外部端末で操作された場合、図８（ｂ）の特典画面ページ５０へのアクセス要求をサーバ装置１０へ送信されるようになっており、表示処理プログラム１７はアクセス要求を受信すると、特典画面ページ５０の画面ページデータ１８をアクセス要求の送信元の端末へ送信する処理を規定している。なお、特典画面ページ５０に基づくユーザへのポイント付与処理は、従来と同等の内容である。【００５７】
図１１の第１フローチャートは、図１の表示画面提供システム１における一連の処理手順（表示画面提供方法の内容）を示したものであり、端末装置２（外部端末に相当）がサーバ装置１０へアクセスして端末装置２で各種画面を表示させる処理内容を表している。以下、この第１フローチャートに従って、全体的な処理手順を整理して説明する。【００５８】
先ず、端末装置２は、ネットワークＮＷを経由してサーバ装置１０が開設するウェブサイトへアクセスする（Ｓ１）。サーバ装置１０は、端末装置２からのアクセスに応じてトップ画面ページに応じたデータ（画面ページデータ１８及びサムネイル画像データ１９）を端末装置２へ送信し（Ｓ２）、端末装置２は図４に示す複数のサムネイル画像３０〜４１を配置したトップ画面ページ２５をモニタ４の画面４ａに表示する（Ｓ３）。この状態で端末装置２は、ユーザの操作によりサムネイル画像が選択（クリック）されたか否かを判断し（Ｓ４）、サムネイル画像の選択が無い場合（Ｓ４：ＮＯ）、サムネイル画像の選択待ちとなる。【００５９】
一方、ユーザによるキーボード５又はマウス６の操作により、サムネイル画像が選択された場合（Ｓ４：ＹＥＳ）、端末装置２は選択されたサムネイル画像の識別符号を含む選択信号をサーバ装置１０へ送信する（Ｓ５）。サーバ装置１０は、選択信号を受信すると、当たり判断を行うため、各種処理内容を含む判断処理（Ｓ６）を行う。【００６０】
図１２は、判断処理（Ｓ６）の詳細内容を表した第２フローチャートを示している。この第２フローチャートに基づき判断処理（Ｓ６）の詳細を説明する。先ず、サーバ装置１０は、選択信号の受信回数を積算する（Ｓ１１）。即ち、ハードディスク装置１５に記憶している今までの積算数値Ｃに新たな選択信号の受信に伴い「１」を加える処理を行う。それから、サーバ装置１０は新たな積算数値Ｃがハードディスク装置１５に記憶された基準値Ｋに一致したか否かを判断する（Ｓ１２）。積算数値Ｃが基準値Ｋに一致しないと判断した場合（Ｓ１２：ＮＯ）、サーバ装置１０は抽選処理の結果が外れと判断し、端末装置２へ送信する内容として、広告データ２２、サムネイル画像が回転する動的データ２０、選択されたサムネイル画像に対応する拡大画像データ２３、及び詳細画面ページ２７に応じた画面ページデータ１８等を決定する（Ｓ１８）。【００６１】
一方、積算数値Ｃが基準値Ｋに一致すると判断した場合（Ｓ１２：ＹＥＳ）、サーバ装置１０は基準条件を満たしていると判断し（抽選処理の結果が当たりと判断し）、端末装置２へ送信する内容として、当たり画像データ２１、サムネイル画像が回転する動的データ２０、特典ボタンデータ２４、選択されたサムネイル画像に対応する拡大画像データ２３、及び詳細画面ページ２７に応じた画面ページデータ１８等を決定する（Ｓ１３）。さらに、サーバ装置１０は、ハードディスク装置１５に記憶されている積算数値Ｃをリセットする（Ｓ１４）。このような第２フローチャートの処理を経て、図１１の第１フローチャート中の判断処理（Ｓ６）が終了する。【００６２】
第１フローチャートに戻り、サーバ装置１０は判断処理（Ｓ６）で決定した内容を端末装置２へ送信する（Ｓ７）。端末装置２は、サーバ装置１０から送信された内容に基づき、図５（ａ）〜（ｃ）等に示すように選択されたサムネイル画像を回転させて裏面を表示し（Ｓ８）、それから、選択されたサムネイル画像に関連した詳細画面ページ２７を表示する（Ｓ９）。【００６３】
上述したサムネイル画像を回転させて裏面を表示する段階（Ｓ８）及び詳細画面ページ２７の表示段階（Ｓ９）について詳しく説明すると、図１２の第２フローチャートで示した判断処理（Ｓ６）で抽選処理の結果が外れたと判断された場合、端末装置２は、図５（ａ）〜（ｃ）に示すサムネイル画像の９０度までの回転と、図９（ａ）〜（ｃ）に示すサムネイル画像の９０度から１８０度までの回転状態を表示し、最終的に図１０（ａ）に示すように選択されたサムネイル画像３０の裏面３０ｄに広告画像３０ｇを載置したトップ画面ページ２５の表示を行う。それから、端末装置２は表示画面を切り替えて、図１０（ｂ）に示すように、ニュース文章２７ｂ、複数のサムネイル画像等を含む表面２７ａに拡大画像２７ｃを配置した詳細画面ページ２７を表示する。このように、基準値Ｋに一致しないと判断された場合、選択されたサムネイル画像３０の裏面に広告が表示されてから詳細画面ページ２７に表示内容が切り替わる。【００６４】
一方、図１２の第２フローチャートで示した判断処理（Ｓ６）で抽選処理の結果が当たりと判断された場合、サーバ装置１０が動的データ２０及び当たり画像データ２１を送信することで、端末装置２は図５（ａ）〜（ｃ）のサムネイル画像の９０度までの回転と、図６（ａ）〜（ｃ）のサムネイル画像の９０度から１８０度までの回転状態を表示し、最終的に図７に示すように、選択されたサムネイル画像３０の裏面３０ｄに当たり画像３０ｆを載置した表示を行う。それから、当たり画像データ２１等の送信に伴ってサーバ装置１０が特典ボタンデータ２４及び詳細画面ページ２７の画面ページデータ１８等を送信することで、端末装置２は表示内容を切り替えて、図８（ａ）に示すように、ニュース文章２７ｂ等を含む表面２７ａに拡大画像２７ｃ及び特典ボタン２７ｄを配置した詳細画面ページ２７を表示する。【００６５】
このように、抽選に当たったときは、選択されたサムネイル画像３０の裏面３０ｄの特典に当たった旨を表す当たり画像３０ｆの表示により、ユーザの視覚が直接的に刺激され、「あれ、何だろう？当たり？」と云うワクワク感及び楽しさをユーザに付与できる。また、その後に表示される詳細画面ページ２７の特典ボタン２７ｄが端末装置２のユーザにより選択されると、サーバ装置１０は、特典画面ページ５０に応じた画面ページデータ１８を端末装置２へ送信し、端末装置２では、図８（ｂ）に示す特典画面ページ５０が表示される。【００６６】
この特典画面ページ５０は、特典ボタン２７ｄの操作を通じてのみアクセス可能になっており、クジに当たったユーザへのみ、特典（本実施形態では、ネット上で使用できるポイント）をスムーズに付与できる。また、一度、特典を獲得したユーザは、図４に示すトップ画面ページ２５に配置されたサムネイル画像３０〜４１を選択（クリック）する際、再度当たるかもしれないと、期待感を持って操作する楽しみを得られる。さらに、ユーザは当たりを確認するため、選択したサムネイル画像の回転状況を注視することになるため、外れた場合でもサムネイル画像の裏面に表示される広告画像３０ｇを通常以上の注意度で見ることになり、広告を確実にユーザへ提示でき、広告主の理解が得やすいサービスを実施できる。【００６７】
なお、本発明は上述した形態に限定されるものではなく、種々の変形例の適用が可能である。例えば、図１に示すサーバ装置１０が行う処理内容を複数のサーバで分散的に処理を行って、１台のサーバ装置１０の処理負担を低減するようなハード構成にしてもよい。また、クリックに伴って抽選処理を行うサムネイル画像は、ニュース配信サービスの運営上のポリシーとして、画像内容が特定のものであるときは、抽選処理を行わないようにすることが好ましい場合もある。例えば、サムネイル画像が、事故、残忍な事件等を報道するものであるときは、抽選処理から除外するように、それらのサムネイル画像の識別符号を処理除外用の内容にして、サーバ装置１０が処理対象に含めないようにしてもよい。【００６８】
さらに、選択対象となる画像は、図４に示すようなサムネイル画像に限定されるものではなく、図４に示すサムネイル画像と画像サイズが異なるもの、画面の半分程度を占める画像、全画面表示的に表示される画像であっても選択可能であれば、本発明の対象に適用できる。また、クリック対象になる画像の中身としては、写真、イラスト、模様、ロゴ、文章など、あらゆる種類のものを適用でき、画像の種類としては、ニュースを表したもの以外にも広告なども適用可能である。さらにまた、基準条件を満たした場合、図６（ｃ）に示すように裏面３０ｄに配置される当たり画像３０ｆは、あくまで一例であり、他の図柄の適用も勿論可能であると共に、単に「当たり」と云う文字を情報として配置してもよく、単なる画像（イラスト、模様、ロゴ、図柄等）だけでもよい。【００６９】
また、動的データの中身は、図５、６に示す以外にも、他の動き方で、選択操作（クリック操作）の対象となった画像が動くようにすることも可能である。図１３（ａ）〜（ｃ）は、サムネイル画像３０′がクリック操作により回転中心３０ｂ′を中心に回転（反時計方向）して、今まで隠れていた表面３０ｃ′の一部分３０ｈ′が表出し、このベース画像３０ａ′の一部分３０ｈ′に当たり画像３０ｆ′を配置した状態を示すものである。なお、抽選処理の結果が外れの場合は、ベース画像３０ａ′の一部分３０ｈ′に広告が配置されることになる。【００７０】
さらに、図１４（ａ）〜（ｃ）は、別の動き方を示し、サムネイル画像３０″がクリック操作により図中左方向にシフト（水平に平行移動）して、今まで隠れていた表面３０ｃ″の一部分３０ｈ″が表出し、このベース画像３０ａ″の一部分３０ｈ″に当たり画像３０ｆ″を配置した状態を示すものである。なお、抽選処理の結果が外れの場合は、図１３の時と同様にベース画像３０ａ″の一部分３０ｈ″に広告が配置されることになる。【００７１】
また、基準条件を満たした場合、ユーザへ付与される特典は、図８（ｂ）に示すようにネット上で使用できるポイント以外も適用可能であり、例えば、ネットワークを介して配信できるもの（画像データ、音楽データ等）、又は、ユーザへ発送するもの（各種品物、チケット等）などを適用でき、後者のときは、発送先等をユーザに入力してもらう画面ページをサーバ装置１０が提供することになる。なお、クリックにより表示される画面ページの内容は、図８（ａ）、１０（ｂ）に示すような詳細画面ページ２７以外にも、他の内容の画面を採用することも勿論可能である。【００７２】
さらに、積算数値Ｃは、図４に示すトップ画面ページ２５に対して選択信号の受信回数を積算する以外に、サーバ装置１０が行うサービス全体（例えば、ニュース配信サービスのウェブサイト全体）における選択信号、サービスの一部のみ（例えば、配信されるニュースにおけるスポーツのジャンルのみ）における選択信号を処理対象にしてもよく、さらには、サーバ装置１０がトップ画面ページ２５に含まれるサムネイル画像３０〜４１ごとに選択信号の受信回数を個別に積算してもよい。この場合、サーバ装置１０は、ハードディスク装置１５に単一の積算数値Ｃを記憶するのではなく、図１５（ａ）に示すテーブル５５を記憶し、このテーブル５５でサムネイル画像３０、３１等ごとにサーバ装置１０が選択信号の受信回数を積算した数値を格納できるようにする。サムネイル画像３０、３１等ごとに積算することで、サムネイル画像３０、３１等ごとに積算数値の管理が可能となり、各サムネイル画像３０、３１等の提供元が相異する場合などに特典の付与に対する処理を提供元ごとに対応しやすくなる。さらに、テーブル５５を利用した場合は、ユーザが注目するサムネイル画像、ユーザに人気があるサムネイル画像等を判別して、判別結果を各種マーケティングなどにも利用しやすくなる。【００７３】
さらにまた、サムネイル画像３０〜４１ごとに積算を行う場合は、図１５（ｂ）のテーブル５６に示すように、基準値をサムネイル画像３０〜４１ごとに設定してもよい。このようなテーブル５６をサーバ装置１０が記憶することで、サムネイル画像３０〜４１ごとに独自の基準条件を設定でき、各サムネイル画像３０〜４１に対する特典の提供元が相異するときなどに、個別の基準条件で当たり判断を行えるので好適である。【００７４】
また、サーバ装置１０のハードディスク装置１５に記憶される基準値Ｋは、サーバ装置１０の管理者の操作により変更可能な仕様にすること、サーバ装置１０に付随する時計機能、及びカレンダー機能等を利用し、これらの機能に連動させて基準値Ｋの値を自動的に変更する仕様にしてもよい。それにより、基準値Ｋは、時間帯（例えば、朝の時間帯、夜の時間帯など）、曜日、日、季節、特別な時期（例えば、盆、正月、学生の夏休み期間など）ごとに値が変わるようになり、当たり率の調整が可能になる。なお、基準値Ｋを変更可能にすることは、図１５（ｂ）に示すテーブル５６を用いた場合でも同様に行える。【００７５】
さらに、基準値Ｋは乱数表に基づいて変更する仕様にしてもよく、積算数値Ｃが一旦、基準値Ｋに達した場合、乱数表を用いて新たな基準値Ｋの値を特定してもよい。このようにすることで、ランダム的に当たりが発生するようになり、よりクジ的な楽しさをユーザに与えることができる。さらにまた、基準条件は、積算数値Ｃが基準値に達するか否か以外の内容を採用してもよく、例えば、積算数値Ｃが素数に該当するとき、下一桁が「３」のときなど、他の条件を適宜設定することも勿論可能である。【００７６】
また、抽選処理は、選択信号の受信回数を積算する処理を行う以外に、サーバ装置１０が選択信号を受信するごとに、抽選処理を行って、抽選処理の結果が当たりの場合、上述した積算数値が基準数に一致したときと同等の処理を行い、抽選処理の結果が外れの場合、上述した積算数値が基準数に一致しないときと同等の処理を行うようにしてもよい。選択信号を受信した場合に行う抽選は、特定の的中確率に沿って当たりが発生する抽選の仕方を適用することが好ましい。例えば、サーバ装置１０は、予め当たりの数値を設定しておくと共に、選択信号の受信した場合、抽選処理として、乱数発生プログラムにより所定の桁数（５桁、６桁等）の乱数を発生させ、この発生させた乱数の一桁目の数字が、設定された当たりの数値に一致するときは当たり、一致しないときは外れにする。なお、このような処理においては、サーバ装置１０は乱数発生プログラムの処理内容を表示処理プログラム１７に含ませておき、ＣＰＵ１０を抽選処理を行う手段として機能させることになる。【００７７】
さらに、選択されたサムネイル画像が回転して裏面に配置される内容を、より見やすくするためには、図６（ｃ）及び図９（ｃ）の状態での表示時間を長くすることが好適である。さらにまた、基準条件を満たす場合でも図９（ｃ）に示す広告画像３０ｇの表示を行いたい場合は、動的データ２０をサムネイル画像が複数回（例えば３回転）、回転する内容にして、途中の回転（例えば１、２回目の回転）では図９（ｃ）に示すように広告画像３０ｇを裏面３０ｄに配置し、基準値Ｋに達して当たりになったときは、最後の回転（例えば３回目の回転）で図６（ｃ）に示すように、当たり画像３０ｆを配置してもよい。このようにすることで、広告の表示機会を多数確保できると共に、ユーザは最後まで当たりが出るか否かを注視することになるため、ユーザへの広告のアピール度も高められる。【００７８】
なお、この場合において、外れたときは、最後の回転でも図９（ｃ）のように広告画像３０ｇが表示されることになる。また、このように複数回の回転表示を行う場合、途中の広告表示のアピール度を高めるためようにするには、動的データ２０を、図９（ｃ）の状態で一時停止、又は図９（ｃ）の前後で回転速度を遅くした内容にすることで対応できる。さらに、複数回の回転表示を行う場合は、回転ごとに相異する内容の広告画像３０ｇを配置して、多数の広告機会を提供できるようにしてもよい。【００７９】
また、基準条件を満たさない場合（外れた場合）に、裏面３０ｄに配置する内容は、広告画像３０ｇに限定されるものではなく、当たり画像と相異する他の種類の画像、他の情報、例えば、サムネイル画像の著作者、撮像日時などを示す著作権情報、サムネイル画像のデータに関するプロパティ（ファイル名、データ容量、データ作成日、記憶フォルダ）などを配置してもよい。【００８０】
さらに、ユーザへの特典付与をスムーズに行うためには、基準条件を満たす場合、図６（ｃ）及び図７の状態を表示に伴い（当たり画像データ２１の送信に伴って）、直ちに図８（ｂ）の特典画面ページ５０を表示するようにしてもよい。この場合、サーバ装置１０は、図８（ａ）に示す内容の各データを端末装置２へ送信する代わりに、図８（ｂ）に示す特典画面ページ５０に応じた画面ページデータ１８を送信すればよいため、サーバ装置１０の画面表示のための処理負担を低減できる。
【産業上の利用可能性】
【００８１】
画像のクリック操作に対して楽しさ及び期待感を付与できると共に、クリック操作に伴って画像が動くことで生じた箇所を、ユーザの目を惹き付ける画像又は広告等の新たな配置スペースとして活用できる。
【図１】
2007141861.tif 000003
【図２】
2007141861.tif 000004
【図３】
2007141861.tif 000005
【図４】
2007141861.tif 000006
【図５】
2007141861.tif 000007
【図６】
2007141861.tif 000008
【図７】
2007141861.tif 000009
【図８】
2007141861.tif 000010
【図９】
2007141861.tif 000011
【図１０】
2007141861.tif 000012
【図１１】
2007141861.tif 000013
【図１２】
2007141861.tif 000014
【図１３】
2007141861.tif 000015
【図１４】
2007141861.tif 000016
【図１５】
2007141861.tif 000017
【国際調査報告】
2007141861.tif 000018
2007141861.tif 000019